(57)【要約】【課題】肌等の被照射面を随時モニタすることができる美容装置を提供する。【解決手段】波長４００〜４５０ｎｍまたは波長６５０〜９００ｎｍの波長域に発光ピークを有する発光ダイオード６ａを備え、これら波長域の光を照射する光照射部６と；光照射部６とその被照射面７との距離を検出する距離センサ８と；被照射面７の温度を検出する赤外線センサ９と；被照射面７を撮像するＣＣＤカメラ５と；ＣＣＤカメラ５により撮像された画像と赤外線センサ９により検出された画像の少なくとも一方を表示するモニタ３と；を具備している。【選択図】  図１
2008006085.tif 000002
【特許請求の範囲】
【請求項１】
波長４００〜４５０ｎｍまたは波長６５０〜９００ｎｍの波長域に発光ピークを有する発光ダイオードを備え、これら波長域の光を照射する光照射部と；
光照射部とその被照射面との距離を検出する距離センサと；
被照射面の温度を検出する赤外線センサと；
被照射面を撮像する撮像装置と；
撮像装置により撮像された画像と赤外線センサにより検出された画像の少なくとも一方を表示する表示装置と；
を具備していることを特徴とする美容装置。
【請求項２】
光照射部は、白色光を出力する光源を具備していることを特徴とする請求項１記載の美容装置。
【請求項３】
光照射部は、複数の発光ダイオードを環状に配設し、その環状配列の中央部に撮像装置を配設していることを特徴とする請求項１または２記載の美容装置。
【請求項４】
撮像装置により撮像された画像に基づいて被照射面の状態を解析し、その解析結果を表示装置に表示させる画像解析装置、
を具備していることを特徴とする請求項１ないし３のいずれか一記載の美容装置。
【発明の詳細な説明】
【技術分野】
【０００１】
本発明は使用者に美容効果等を与える美容装置に関する。
【背景技術】
【０００２】
従来、この種の美容装置の一例としては、所定波長の光を照射する光照射部と、イオンを発生するイオン発生部と、を具備し、美肌効果を与えるものが知られている（例えば特許文献１参照）。
【特許文献１】特開２００５−１６８８９４号公報
【発明の開示】
【発明が解決しようとする課題】
【０００３】
このような従来の美容装置は、その光照射部と、ユーザの肌や頭皮等の被照射面と、の間隔を適切に保つための手段を具備していないので、その適切な間隔を保てない場合がある。例えば肌等が光照射部から離れ過ぎている場合には、光照射強度が弱過ぎて美肌効果が得難くなる。逆に近接し過ぎる場合には、光照射強度が強過ぎて却って肌に悪影響を与える危険がある。
【０００４】
また、光照射により肌のはりや皺、染み、そばかす等が改善された場合でも、その肌質改善効果は直接目視で視認するしか方法がないので、その肌質改善等の美肌効果を簡単かつ詳細に確認し難いという課題もある。
【０００５】
本発明は、このような事情を考慮してなされたものであり、肌等の被照射面を随時モニタすることができる美容装置を提供することを目的とする。
【課題を解決するための手段】
【０００６】
請求項１に係る美容装置は、波長４００〜４５０ｎｍまたは波長６５０〜９００ｎｍの波長域に発光ピークを有する発光ダイオードを備え、これら波長域の光を照射する光照射部と；光照射部とその被照射面との距離を検出する距離センサと；被照射面の温度を検出する赤外線センサと；被照射面を撮像する撮像装置と；撮像装置により撮像された画像と赤外線センサにより検出された画像の少なくとも一方を表示する表示装置と；を具備していることを特徴とする。
【０００７】
請求項２に係る美容装置は、光照射部は、白色光を出力する光源を具備していることを特徴とする。
【０００８】
請求項３に係る美容装置は、光照射部は、複数の発光ダイオードを環状に配設し、その環状配列の中央部に撮像装置を配設していることを特徴とする。
【０００９】
請求項４に係る美容装置は、撮像装置により撮像された画像に基づいて被照射面の状態を解析し、その解析結果を表示装置に表示させる画像解析装置、を具備していることを特徴とする。
【発明の効果】
【００１０】
請求項１に係る美容装置によれば、距離センサにより光照射部と肌や頭皮等の被照射面との距離（間隔）を検出できるので、ユーザはこの距離センサの検出効果に基づいて光照射部と肌等の被照射面との間隔（距離）を、美肌効果を得るために適切な間隔に保持することができる。
【００１１】
また、ユーザは表示装置により肌等の被照射面をモニタすることができる。このために、被照射面を直接目視せずに、表示装置により、その拡大や縮小画像を簡単かつ詳細に見ることができる。
【００１２】
さらに、赤外線センサにより被照射面の温度分布を検出することができる。このために、被照射面のうち、美肌効果に有効な温度部位や害のある温度部位等をモニタにより視認することができる。
【００１３】
請求項２に係る美容装置よれば、肌等の被照射面に、光照射部から白色光を照射できるので、被照射面の可視光像を表示装置により表示することができる。このために、表示装置に表示される被照射面の画像表示精度を向上させることができる。
【００１４】
請求項３に係る美容装置よれば、環状に配列された複数の発光ダイオードの当該環状配列の中央部に撮像装置を配設しているので、撮像装置の周囲を光照射部により照明することができる。このために、撮像装置により撮像される肌等被照射面の影を低減できるので、その撮像が表示装置に画像として表示される場合の画像表示精度を向上させることができる。
【００１５】
請求項４に係る美容装置によれば、撮像装置により撮像された肌等被照射面の画像を解析装置により解析して肌の皺や染みの現状や光照射による美肌効果等の解析結果を、例えば数値等により表示装置でモニタすることができる。
【発明を実施するための最良の形態】
【００１６】
以下、本発明の実施形態を図面に基づいて説明する。なお、複数の図面中、同一または相当部分には同一符号を付している。
【００１７】
図１は本発明の一実施形態に係る美容装置本体の正面図、図２は同美容装置本体を側面で示す美容装置の全体構成図である。
【００１８】
これら図１，図２に示すように美容装置１は、例えば円筒状の美容装置本体２と、表示装置の一例であるモニタ３と、を具備している。
【００１９】
美容装置本体２は、ＰＢＴ（ポリブチレンテレフタレート）等の合成樹脂製の円筒体よりなる本体ケース４を有しており、このケース４の軸方向一端面（図２では左端面）である前面４ａの中央部には、撮像装置の一例であるＣＣＤカメラ５が配設されている。
【００２０】
そして、この本体ケース４の前面４ａには、その外周部にて環状の光照射部６を配設してＣＣＤカメラ５の外周を取り囲んでいる。すなわち、光照射部６は、複数の発光ダイオード６ａ，６ａ，６ａ，…を、ＣＣＤカメラ５の前面の外周側を同心状に囲むように複数列で周方向に所要のピッチにより配設することにより構成されている。各発光ダイオード６ａ，６ａ，…は、その環状配列中央部に対向する被照射面７の中央部に所要光を照射する角度で本体ケース４の前面４ａに配設されている。
【００２１】
これら発光ダイオード６ａ，６ａ，…としては、波長が４００〜４５０ｎｍの青色光を発光するものと、波長が６５０〜９００ｎｍの赤色光〜深色光を発光するものおよび赤〜深赤色〜近赤外線を発光するものと、白色光を発光するものを混在させている。
【００２２】
青色光を発光する発光ダイオード６ａ，６ａ，…としては、例えばＩｎＧａＮ系を使用し、赤〜深赤色を発光する発光ダイオード６ａ，６ａ，…としては例えばＡｌＩｎＧａＰ系またはＡｌＧａＡｓ系を使用し、赤〜深赤色〜近赤外線を発光する発光ダイオード６ａ，６ａ，…としては例えばＧａＡｓＰ系を使用している。
【００２３】
これら発光ダイオード６ａ，６ａ，…は、図示しない点灯回路により、肌や頭皮等の所定の被放射面７上の照射照度が３０ｍＷ／ｃｍ２以上になるように点灯され、この点灯回路は美容装置本体２内に配設されている。また点灯回路は、白色光と上記２波長領域（４００〜４ｎｍと６５０〜９００ｎｍ）の一方、または白色光と２波長領域の光を同時に点灯可能に構成されており、これら点灯モードをそれぞれ選択するための選択スイッチ（図示せず）が美容装置本体２の外面に配設されている。
【００２４】
そして、美容装置本体２の前面には、環状の光照射部６と、その中央部のＣＣＤカメラ５の前面との間の環状間隙において、距離センサ８と、赤外線センサ９とがＣＣＤカメラ５の上下方向にそれぞれ配設されている。
【００２５】
距離センサ８は例えば赤外線を前方の肌や頭皮等の被照射面７に照射し、この被照射面７で反射した反射光を受光して美容装置本体２前面と被照射面７との距離（間隔）を検出するものであり、その検出信号出力端は信号ケーブル１１中の第１の信号線１１ａを介して制御演算回路１０の距離センサ信号入力端に接続されている。
【００２６】
赤外線センサ９は、赤外線を前方の肌や頭皮等の被照射面７に照射し、この被照射面７で反射した反射光を受光して被照射面７の温度分布を検出するものであり、その検出信号出力端は信号ケーブル１１中の第２の信号線１１ｂを介して制御演算回路１０の赤外線センサ信号入力端に接続されている。
【００２７】
信号ケーブル１１は、これら第１，第２の信号線１１ａ，１１ｂの外に、ＣＣＤカメラ５の撮像信号出力端を制御演算回路１０の撮像信号入力端に接続する第３の信号線１１ｃを具備している。
【００２８】
制御演算回路１０は、例えばマイクロプロセッサであり、基本的には、ＣＰＵ，ＲＡＭ，ＶＩＤＥＯ−ＲＡＭ，ＲＯＭを具備している。ＲＯＭにはＣＰＵを制御するプログラムが記録されており、ＣＰＵはこのプログラムに従って、インプットポートを介してＣＣＤカメラ５からの撮像信号や距離センサ８と赤外線センサ９からの各検出信号等の外部データを取り込み、またはＲＡＭやＶＩＤＥＯ−ＲＡＭとの間でデータの授受を行なったりしながら演算処理し、必要に応じてその処理データをアウトプットポートを介してモニタ３に出力するものである。制御演算回路１０はＣＣＤカメラ５からの撮像信号に基づいて、その撮像をモニタ３に拡大または縮小可能に表示する機能を具備している。ＶＩＤＥＯ−ＲＡＭは、ＣＣＤカメラ５からの撮像信号が一時的に蓄積されるバッファメモリである。
【００２９】
そして、マイクロプロセッサである制御演算回路１０は、ＣＰＵが距離検出手段、温度分布検出手段および画像解析手段としての機能を実行するためのプログラムをＲＯＭに記録してある。
【００３０】
距離検出手段は、予め設定されている所定のタイミングで距離センサ８から赤外線を発光させ、その発光から、被照射面７で反射されて再び距離センサ８により受光されるまでの時間を計時することにより、美容装置本体２の前面から肌等の被照射面７までの距離を演算し、さらに、その距離と、予め設定されている最適距離との差等を演算してこれら距離を数値等でモニタ３に表示する機能である。最適距離とは美肌効果を得るために最適な距離である。
【００３１】
温度分布検出手段は、予め設定されているタイミングにより赤外線センサ９から赤外線を照射させ、その被照射面７で反射して再び赤外線センサ９により受光された赤外線反射光像を、その温度差を色別等でカラーによりモニタ３に表示させ、被照射面７の温度分布を色別等で表示する機能である。
【００３２】
画像解析手段は、ＣＣＤカメラ５により撮像された肌や頭皮等の被照射面７の画像信号を解析し、その解析結果をモニタ３に表示するものである。例えば光照射の前後において、画像の輪郭を抽出するエッジ抽出処理等所要の画像処理を行なって画像を認識し、肌の皺や染みを抽出し、その大きさや個数をそれぞれカウントし、モニタ３に表示するものである。
【００３３】
そして、美容装置本体２には、その電源をオン／オフするパワースイッチ（図示せず）を具備している。なお、電源は充電可能のバッテリでも、商用電源でもよい。商用電源の場合は、そのＡＣ（交流）電力を直流や所要の電圧に変換する図示しない電源装置を美容装置本体２内に配設している。この電源装置とバッテリは、美容装置本体２内に配設され、発光ダイオード６ａ，６ａ，…の点灯回路、距離センサ８、赤外線センサ９およびＣＣＤカメラ５に接続され、これらに所要の電力を給電する。美容装置本体２には、把持可能な図示しないグリップを設けて美容装置本体２を把持可能に構成し、または、美容装置本体２を卓上に設置可能な卓上載置形に成形してもよい。
【００３４】
したがって、この美容装置１の美容装置本体２の前面を、肌や頭皮等の所要部位に向けて、図示しないパワースイッチをオン操作すると、光照射部６の全発光ダイオード６ａ，６ａ，…、または白色光の発光ダイオード６，６ａ，…と２波長域（４００〜４５０ｎｍ，６５０〜９００ｎｍ）の光の少なくとも一方の発光ダイオード６ａ，６ａ，…が発光し、これらの光が肌等の被照射面７に照射される。また、距離センサ８と赤外線センサ９から非可視光である赤外線が肌等被照射面７に照射される。
【００３５】
このために、距離センサ８で発光した赤外線が肌等の被照射面７に照射され、ここで反射した反射光が再び距離センサ８により受光され、その受光信号が制御演算回路１０に入力される。
【００３６】
制御演算回路１０では、その距離検出手段により、距離センサ８から赤外線が照射されてから、その反射光が再び距離センサ８で受光されるまでの時間を計時して美容装置本体２の前面から肌等の被照射面７までの距離を検出し、モニタ３に数値等で表示する。また、その検出距離は、その最適距離と、その差等と共にモニタ３に表示される。したがって、ユーザはモニタ３を見ることにより、美容装置本体２と被照射面７との現在の距離、その最適距離、その差を視認することができる。このために、ユーザは美容装置本体２と被照射面７との距離を随時、後述する美肌効果等にとって最適な距離に保つことができる。
【００３７】
そして、光照射部６の複数の発光ダイオード６ａ，６ａ，…から白色光と波長４００〜４５０ｎｍの波長域および波長６５０〜９００ｎｍの波長域の少なくとも一方の光が肌等の被照射面７に３０ｍＷ／ｃｍ２以上で照射される。
【００３８】
この光照射モードは、白色光および波長４００〜４５０ｎｍの青色光と、白色光および波長６５０〜９００ｎｍの赤〜深赤色、近赤外線がほぼ同時に点灯する全点灯モードと、これら光がそれぞれ個別に点灯する個別点灯モードとがあり、これら点灯（照射）モードは選択スイッチ（図示せず）により選択される。
【００３９】
これら点灯（照射）モードの選択により、白色光と波長４００〜４５０ｎｍの青色光が肌や頭皮に照射されると、後者の青色光によりニキビの原因となるアクネ菌を直接または間接的に殺菌し、ニキビを治療することができる。
【００４０】
さらに、肌に白色光と波長６５０〜９００ｎｍの光が肌や頭皮に照射される場合には、その照射光中の波長７００〜８００ｎｍの光により肌の染みが改善され、積極的な肌質の改善効果を奏することができる。
【００４１】
さらにまた、波長８００〜９００ｎｍの近赤外線の照射により、細胞エネルギーの源であるミトコンドリアが活性化され、ひいてはＡＴＰの生産が増大して細胞増殖やコラーゲン、エラスチンの増加を促進させることができる。この効果は波長６５０〜７００ｎｍの赤色光によっても同様の効果がある。
【００４２】
そして、これら発光ダイオード６ａ，６ａ，…の発光は、太陽光と同様に照射強度がレーザ光と比較して弱く連続的であるので、同じ照射エネルギーでも皮膚温度の上昇は緩やかで、熱変性を発生させる６０℃以下である。また、放射照度が１３６ｍＷ／ｃｍ２程度までは、細胞組織の熱変性は発生しないとされている。
【００４３】
したがって、この発光ダイオード６ａ，６ａ，…の場合、所定の被照射面７における放射照度が３０ｍＷ／ｃｍ２以上１３６ｍＷ／ｃｍ２未満であるので、皮膚の熱変性を防止しつつミトコンドリアを活性化する上記効果を奏することができる。
【００４４】
また、白色光の発光ダイオード６ａ，６ａ，…からは白色光、すなわち、可視光が照射される一方、赤外線センサ９からは赤外線が被照射面７に照射される。このために、この被照射面７で反射した赤外線反射光を受光し、その受光信号は制御演算回路１０に与えられる。
【００４５】
制御演算回路１０は、その温度分布検出手段により、この赤外線反射光検出信号に基づいて、肌等被照射面７の赤外線像を、可視化してその温度差を色別等によりモニタ３に表示する。このために、この赤外線像をモニタ３で見ることにより被照射面７の温度分布を、色別により容易に視認することができる。
【００４６】
そして、ＣＣＤカメラ５は白色光等の可視光により照射された被照射面７を撮像し、その撮像信号を制御演算回路１０に与える。制御演算回路１０はこの撮像信号に基づいて可視光像としてモニタ３に拡大または縮小可能に表示する。この可視光像は温度分布を示す可視化された赤外線像に重ねて表示してもよく、この場合は、可視光像の温度分布をモニタ３上で色別で視認できるので、その温度分布の精度を向上させることができる。
【００４７】
また、この可視光像は制御演算回路１０の画像解析手段により画像解析されて、肌等被照射面７の皺の本数や染みの個数、これらの大きさがモニタ３に表示される。
【００４８】
これら画像解析結果は、光照射部６による光照射の前後において適宜モニタ３により視認することができるので、その光照射によるニキビ治療や肌質の積極的な改善等の美肌効果を目視により確認することができる。
【００４９】
また、距離センサ８により光照射部６と肌や頭皮等の被照射面７との距離（間隔）が検出され、モニタ３に表示されるので、ユーザはこの距離センサ８の検出効果をモニタ３により見ることにより、光照射部６と肌等の被照射面７との間隔（距離）が、美肌効果を得るための適切な間隔であるか否かを知ることができる。
【００５０】
また、ユーザはモニタ３により肌等の被照射面７をモニタすることができるので、被照射面７を直接目視せずに、モニタ３により、その拡大や縮小画像を簡単かつ詳細に見ることができる。
【００５１】
さらに、赤外線センサ９により検出された肌等被照射面７の温度分布を色別された状態でモニタ３により見ることができる。このために、過度の皮膚温度の上昇をモニタ３によりモニタすることができるので、頭髪の過度の温度上昇による脱毛を予防することができる。
【００５２】
また、肌等の被照射面７に、光照射部６から白色光を照射できるので、被照射面７の可視光像をモニタ３により表示することができる。このために、モニタ３に表示される被照射面７の画像表示精度を向上させることができる。
【００５３】
そして、環状に配列された複数の発光ダイオード６ａ，６ａ，…の当該環状配列の中央部にＣＣＤカメラ５を配設しているので、ＣＣＤカメラ５の周囲を光照射部６により照明することができる。このために、ＣＣＤカメラ５により撮像される肌等被照射面７の影を低減できるので、その撮像がモニタ３に画像として表示される場合の画像表示精度を向上させることができる。
【００５４】
また、ＣＣＤカメラ５により撮像された肌等被照射面７の画像を制御演算回路１０により解析して肌の皺や染みの現状や光照射による美肌効果等の解析結果を、例えば数値等によりモニタ３に表示することができる。
【図面の簡単な説明】
【００５５】
【図１】本発明の一実施形態に係る美容装置本体の正面図。
【図２】図１で示す美容装置本体を側面で示し美容装置の全体構成を示す全体構成図。
【符号の説明】
【００５６】
１…美容装置、２…美容装置本体、３…モニタ、４…本体ケース、５…ＣＣＤカメラ、６…光照射部、６ａ…発光ダイオード、７…被照射面、８…距離センサ、９…赤外線センサ、１０…制御演算回路。
【図１】
2008006085.tif 000003
【図２】
2008006085.tif 000004